(57)【要約】【課題】建造物の上下方向に広がる外壁又は内壁を植栽化するときに人工土壌や、そこから成長する植物の重量に対して十分に支持できる程に堅固で、かつ耐震上も安全な壁面緑化用ラック装置を提供する。【解決手段】人工土壌を収納するボックス１７が、建造物Ｂの外壁面Ｗに沿って上下方向Ｙに延びるトラス構造の支柱１１と横方向Ｘに所定の間隔をあけて設置される複数の桟部材１５とで画成された空間部１６に配置されて支持されている。各支柱１１は、上下方向から見たときに三角形の各頂点に端面が位置する３本の棒材１２ａ〜１２ｃと、これら各棒材を連結する２本の連結材１３，１４とから構成され、各連結材１３，１４は、上下方向にジグザグ状に延び、外壁面側の屈曲部１３ｂ，１４ｂが、外壁面Ｗと並行する方向へ屈曲されて該外壁面に対する脚部とされ、この脚部の複数が外壁面Ｗに固定されている。【選択図】図１
2009278924.tif 000002
【特許請求の範囲】
【請求項１】
建造物の上下方向に広がる壁面に設置して該壁面を植栽化する際に使用する支柱において、
前記支柱が、前記建造物の前記壁面に沿って前記上下方向に延び、かつ前記上下方向から見たときに三角形の各頂点に端面が位置するように配置された３本の第１，第２及び第３の棒材と、これら各棒材を連結する２本の連結材とから構成され、
２本の前記第２，第３の棒材が、前記第１の棒材の両側方に位置すると共に前記第１の棒材より前記壁面側に配置され、
２本の前記連結材が、並行な２つの仮想直線上にそれぞれ位置する多数の第１屈曲部と、第２屈曲部と、これら第１及び第２屈曲部の間に形成された中間直線部とを備えるように前記上下方向にジグザグ状に延び、前記各第１屈曲部が、前記第１の棒材の横方向両側に当接した状態で結合されると共に前記各中間直線部が、前記第２の棒材及び前記第３の棒材にそれぞれ結合され、多数の前記第２屈曲部が、前記壁面と並行する方向へ曲げられ、この前記第２屈曲部の少なくとも複数が前記壁面に固定されていることを特徴とする壁面緑化用の支柱。
【請求項２】
建造物の上下方向に広がる壁面に設置して該壁面を植栽化する際に使用する壁面緑化用ラック装置において、
前記建造物の前記壁面に沿って前記上下方向に延び、かつ前記上下方向に直交する横方向に所定の間隔をあけて設置されるトラス構造をした複数の支柱と、これら支柱間に渡されて支持され、かつ前記上下方向に所定の間隔をあけて配置された複数の桟部材と、隣接する上下の前記桟部材と該桟部材を支持すべく隣接する横方向の前記支柱とで囲まれる空間部に収められたボックスとを含み、
前記ボックスは、前記壁面に対面する方向とは反対側に開口部を有する少なくとも１つの収納室を備え、この収納室内には土壌部材が配置され、
前記支柱は、前記上下方向から見たときに三角形の各頂点に端面が位置するように配置された３本の第１，第２及び第３の棒材と、これら各棒材を連結する２本の連結材とから構成され、
２本の前記第２，第３の棒材が、前記第１の棒材の両側方に位置すると共に前記第１の棒材より前記壁面側に配置され、
２本の前記連結材が、並行な２つの仮想直線上にそれぞれ位置する多数の第１屈曲部と、第２屈曲部と、これら第１及び第２屈曲部の間に形成された中間直線部とを備えるように前記上下方向にジグザグ状に延び、前記各第１屈曲部が、前記第１の棒材の横方向両側に当接した状態で結合されると共に前記各中間直線部が、前記第２の棒材及び前記第３の棒材にそれぞれ結合され、多数の前記第２屈曲部が、前記壁面と並行する方向へ曲げられ、この前記第２屈曲部の少なくとも複数が前記壁面に固定されていることを特徴とする壁面緑化用ラック装置。
【請求項３】
１つの前記ボックスを支持すべく上下方向に間隔をあけて配置された複数の前記桟部材のそれぞれが、少なくとも１本の支持棒から形成され、前記各支持棒のそれぞれの端部が、前記支柱を構成する前記第１，第２，及び第３の棒材のいずれかに接合され、前記ボックスが、その上下に配置された前記支持棒と該支持棒の両端を支持する前記支柱とにより画成された前記空間部に収められ、上下に間隔をあけて配置された前記支持棒が、前記ボックスを上下方向から挟んで支持している請求項２に記載の壁面緑化用ラック装置。
【請求項４】
１つの前記ボックスを支持すべく上下方向に間隔をあけて配置された複数の前記桟部材のそれぞれが、端部側から見たとき、仮想の三角形の各頂点に端面が位置するように配置された並行な３本の棒材と、これら棒材のうち少なくとも１本の棒材に他の２本の棒材を連結する連結材とからなるトラス構造で構成され、このトラス構造の前記桟部材が、前記支柱の前記第１の棒材と前記第２，第３の棒材との間を通って前記支柱を横断する横方向に延びている請求項２に記載の壁面緑化用ラック装置。
【請求項５】
前記支柱及び前記桟部材を構成する前記各棒材、並びに前記連結材が、鉄筋により構成され、前記各棒材と前記連結材が溶接により結合されている請求項２〜４のいずれかに記載の壁面緑化用ラック装置。
【発明の詳細な説明】
【技術分野】
【０００１】
本発明は、壁面緑化用の支柱及びこの支柱を用いた壁面緑化用ラック装置に関し、さらに詳細には建造物等において上下方向に広がる外壁又は内壁を植栽化するときに植物を保持する壁面緑化用の支柱及びこの支柱を用いた壁面緑化用ラック装置に関する。
【背景技術】
【０００２】
近年、コンクリート製のビルディングやマンション等の建造物において、屋上緑化などが進められていることは既によく知られている。屋上緑化は単に景観上の問題だけではなく、断熱作用や二酸化炭素吸収作用もあることから温暖化防止の一手段としても期待されている。そのため、屋上を緑化するだけではなく、建造物の外壁面も緑化すれば、なお温暖化防止に効果が上がると考えられている。しかし、屋上のような水平面を緑化する場合と比較してほぼ垂直な外壁面、或いは急傾斜の外壁面を緑化することは非常に難しく、そのため、後述する特許文献１に開示された技術をはじめとして、建造物の外壁面のような上下方向に広がる壁面を植栽化する種々の技術が開発されている。
【０００３】
特許文献１には、建物の壁や橋脚の表面、或いは擁壁等のような垂直面を植栽する技術が開示されている。この特許文献１に開示された技術は、建造物を建築する際などに仮設される足場等で使用されているパイプ材を格子状に組み立て支持枠本体とするものである。すなわち、鋼管パイプ材を格子状に組み立て、これを建物の外壁面に沿って設置し、この支持枠本体を形成している縦方向及び横方向のパイプ材で区画される格子状空間部に、針金のような線材で格子状に形成した籠状のパネル枠を配置し、このパネル枠内に人工土壌のような植生基材を充填した袋状マット材を収納し、パネル枠の格子状開口から袋状マット材の一部を切り裂いてポット苗を植生基材内に挿入することにより壁面の緑化を図るものである。
【特許文献１】特開２００４−２５４５５９号公報
【発明の開示】
【発明が解決しようとする課題】
【０００４】
ところで、鋼管パイプ材で格子状に組み立てられた支持枠本体における多数の格子状空間部に人工土壌を収納した籠状のパネル枠を配置して該支持枠本体に連結した場合、パネル枠の総重量は相当大きく、さらに、各パネル枠内の人工土壌に埋め込まれたポット苗が生長して支持枠本体の前面を覆うようにもなれば、さらにその重量は増す。そのため、このようなパネル枠を格子状に組み立てた鋼管パイプ材で支持することは、実際には無理がある。特に、壁面への植栽が建物の２階の高さ程度までであれば、問題はないが、それ以上の高さになると、耐震上も大きな問題がある。しかも、特許文献１に開示された技術では、該特許文献１における図１７に支持枠本体を建物の外壁面に接続する道具が簡単に図示されているだけで、「発明の詳細な説明」の欄では一切説明されてはいない。
【０００５】
本発明の目的は、かかる従来の問題点を解決するためになされたもので、建造物の上下方向に広がる外壁又は内壁を植栽化するときに人工土壌や、そこから成長する植物の重量に対して十分に支持できる程に堅固で、かつ耐震上も安全な壁面緑化用の支柱及びこの支柱を用いた壁面緑化用ラック装置を提供することにある。
【課題を解決するための手段】
【０００６】
本発明は、建造物の上下方向に広がる壁面に設置して該壁面を植栽化する際に使用する壁面緑化用の支柱であり、その特徴とするところは、前記支柱が、前記建造物の前記壁面に沿って前記上下方向に延び、かつ前記上下方向から見たときに三角形の各頂点に端面が位置するように配置された３本の第１，第２及び第３の棒材と、これら各棒材を連結する２本の連結材とから構成され、２本の前記第２，第３の棒材が、前記第１の棒材の両側方に位置すると共に前記第１の棒材より前記壁面側に配置され、２本の前記連結材が、並行な２つの仮想直線上にそれぞれ位置する多数の第１屈曲部と、第２屈曲部と、これら第１及び第２屈曲部の間に形成された中間直線部とを備えるように前記上下方向にジグザグ状に延び、前記各第１屈曲部が、前記第１の棒材の横方向両側に当接した状態で結合されると共に前記各中間直線部が、前記第２の棒材及び前記第３の棒材にそれぞれ結合され、多数の前記第２屈曲部が、前記壁面と並行する方向へ曲げられ、この前記第２屈曲部の少なくとも複数が前記壁面に固定されていることである。
【０００７】
また、本発明は、建造物の上下方向に広がる壁面に設置して該壁面を植栽化する際に使用する壁面緑化用ラック装置であり、その特徴とするところは、前記建造物の前記壁面に沿って前記上下方向に延び、かつ前記上下方向に直交する横方向に所定の間隔をあけて設置されるトラス構造をした複数の支柱と、これら支柱間に渡されて支持され、かつ前記上下方向に所定の間隔をあけて配置された複数の桟部材と、隣接する上下の前記桟部材と該桟部材を支持すべく隣接する横方向の前記支柱とで囲まれる空間部に収められたボックスとを含み、前記ボックスは、前記壁面に対面する方向とは反対側に開口部を有する少なくとも１つの収納室を備え、この収納室内には土壌部材が配置され、前記支柱は、前記上下方向から見たときに三角形の各頂点に端面が位置するように配置された３本の第１，第２及び第３の棒材と、これら各棒材を連結する２本の連結材とから構成され、２本の前記第２，第３の棒材が、前記第１の棒材の両側方に位置すると共に前記第１の棒材より前記壁面側に配置され、２本の前記連結材が、並行な２つの仮想直線上にそれぞれ位置する多数の第１屈曲部と、第２屈曲部と、これら第１及び第２屈曲部の間に形成された中間直線部とを備えるように前記上下方向にジグザグ状に延び、前記各第１屈曲部が、前記第１の棒材の横方向両側に当接した状態で結合されると共に前記各中間直線部が、前記第２の棒材及び前記第３の棒材にそれぞれ結合され、多数の前記第２屈曲部が、前記壁面と並行する方向へ曲げられ、この前記第２屈曲部の少なくとも複数が前記壁面に固定されていることにある。
【０００８】
本発明の壁面緑化用ラック装置に係る実施形態の一例としては、１つの前記ボックスを支持すべく上下方向に間隔をあけて配置された複数の前記桟部材のそれぞれが、少なくとも１本の支持棒から形成され、前記各支持棒のそれぞれの端部が、前記支柱を構成する前記第１，第２，及び第３の棒材のいずれかに接合され、前記ボックスが、その上下に配置された前記支持棒と該支持棒の両端を支持する前記支柱とにより画成された前記空間部に収められ、上下に間隔をあけて配置された前記支持棒が、前記ボックスを上下方向から挟んで支持していることである。
【０００９】
本発明の壁面緑化用ラック装置に係る実施形態の他の例としては、１つの前記ボックスを支持すべく上下方向に間隔をあけて配置された複数の前記桟部材のそれぞれが、端部側から見たとき、仮想の三角形の各頂点に端面が位置するように配置された並行な３本の棒材と、これら棒材のうち少なくとも１本の棒材に他の２本の棒材を連結する連結材とからなるトラス構造で構成され、このトラス構造の前記桟部材が、前記支柱の前記第１の棒材と前記第２，第３の棒材との間を通って前記支柱を横断する横方向に延びていることである。
【００１０】
なお、本発明の壁面緑化用ラック装置において、前記支柱及び前記桟部材を構成する前記各棒材や前記連結材は、鉄筋により構成され、前記各棒材と前記連結材が溶接により結合されている。
【発明の効果】
【００１１】
本発明における壁面緑化用の支柱によれば、上下方向に広がる壁面に沿って配置される支柱がトラス構造であり、しかも第１の棒材と第２の棒材とを連結する連結材、及び第１の棒材と第２の棒材とを連結する連結材のそれぞれが各棒材の延長方向にジグザク状に屈曲していると共に、壁側に位置する第２屈曲部を壁面に沿って曲げ、取付け用の脚部としている。これにより、これら多数の脚部を壁面に当接させ、更に、複数の脚部をアンカーボルトなどで壁面に固定することにより、各支柱が建造物の壁面に非常に堅固に固定される。その結果、かかる支柱を横方向に間隔をあけて複数設置し、隣接する支柱間に桟部材を渡して、人工土壌及びこの人工土壌を収納するボックスを取り付けるとき、これら桟部材やボックスを強固かつ安全に支持することができる。さらに、この支柱は、建造物の床（スラブ）を形成する際に使用するトラス構造の鉄筋ユニットをそのまま用いることができることから、この支柱を製作するのに特別な機械や装置を製造する必要もなく、従って安価に入手することができるので、壁面緑化用の支柱を製造するに際して高い経済性を得ることができる。
【００１２】
また、上述したトラス構造の支柱を用いた壁面緑化用ラック装置によれば、支柱がトラス構造で形成され、しかもジグザグ状に形成された連結材の第２屈曲部を壁に沿ってさらに屈曲し、それを取り付け用の脚部として壁面に当接していることから支柱が壁面に一体に支持され、その結果、隣接する支柱間に渡した桟部材でボックスを十分に支持することができ、全体の構造を簡素化することができる。
【００１３】
さらに、本発明の壁面緑化用ラック装置によれば、桟部材を支柱と同様にトラス構造で形成した場合、ボックスの重量が大きい場合でも堅固にこれを支持することができる。
【００１４】
さらに、本発明の壁面緑化用ラック装置によれば、壁面に取り付ける支柱が、建造物の床（スラブ）を形成する際に使用するトラス構造の鉄筋ユニットをそのまま用いることができることから、この支柱を製作するのに特別な機械や装置を製造する必要もなく、従って安価に入手することができるので、壁面緑化用ラック装置の製造に際して高い経済性を得ることができる。
【発明を実施するための最良の形態】
【００１５】
以下、本発明に係る壁面緑化用の支柱及びこの支柱を用いた壁面緑化用ラック装置を図に示される実施形態について更に詳細に説明する。図１は、本発明の一実施形態に係る壁面緑化用ラック装置（以下、ラック装置、と称する）を概略的に示す部分的な正面図、図２は、図１に示されたラック装置に使用する１つの支柱の一部をその長さ方向に直交する横方向から見た側面図、図３は、図１に示されたラック装置に使用する１つの支柱をその長さ方向の上端部から見た上面図である。図１では、建造物Ｂの外壁面Ｗにこの実施形態に係るラック装置１０Ａを設置する場合について示すもので、建造物Ｂの高さ方向（上下方向）を矢印Ｙ、建造物Ｂの上下方向に広がる外壁面Ｗの横方向を矢印Ｘで示す。また、図１で見て、建造物Ｂの外壁面Ｗから離れる方向を「前方」と称し、その逆方向、即ち外壁面Ｗに向かう方向を「後方」と称する。なお、図１に示されるラック装置１０Ａでは、本発明を理解し易くするために実際のものに比べて支柱１１の間隔を極端に小さくして描かれている。
【００１６】
この実施形態に係るラック装置１０Ａは、建造物Ｂの外壁面Ｗに沿って上下方向Ｙに延びるように立てられた複数の支柱１１を備えている。これらの支柱１１は、すべて同じ構成であるので、その１つについて構造を説明する。支柱１１は、トラス構造体として形成されている。すなわち、支柱１１は、金属製の３本の棒材１２ａ，１２ｂ，１２ｃと、やはり金属製の連結材１３，１４とから構成されている。具体的には、３本の棒材、即ち第１の棒材１２ａ、第２の棒材１２ｂ、及び第３の棒材１２ｃとは、相互に間隔をあけて並行に、かつこれらの棒材１２ａ，１２ｂ，１２ｃをその端部側から見た（図３を参照）とき仮想の三角形の各頂点に位置するように配置され、第１の棒材１２ａは、建造物Ｋの外壁面Ｗから前方へ所定寸法離間して上下方向Ｙへ直線的に延び、第２，第３の棒材１２ｂ，１２ｃは、第１の棒材１２ａより後方側、即ち外壁面Ｗ側で、かつ第１の棒材１２ａの横方向両側に位置し、かつ外壁面Ｗから前方へ所定寸法離間して上下方向Ｙに直線的に延びている。
【００１７】
２本の連結材１３，１４は、建造物Ｂの外壁面Ｗと第１の棒材１２ａとの間に位置し、それらの間でジグザグ状に屈曲を繰り返して上下方向Ｙへ延び、従って、前方側と後方側とにそれぞれ第１屈曲部１３ａ，１４ａ及び第２屈曲部１３ｂ，１４ｂと、これら第１屈曲部１３ａ，１４ａと第２屈曲部１３ｂ，１４ｂとの間の中間直線部１３ｃ，１４ｃとを形成している。このような２本の連結材１３，１４は、第１の棒材１２ａを挟んでその両側部に対称に配置され、かつ図１に示されるように第１屈曲部１３ａ，１４ａから第２屈曲部１３ｂ，１４ｂに向かって横方向へ末広がりを呈するように建造物Ｋの外壁面Ｗに対して所定角度で傾斜している。各連結材１３，１４の第１屈曲部１３ａ，１４ａは、第１の棒材１２ａの横方向両側に当接した状態で、第１の棒材１２ａにスポット溶接されている。第２屈曲部１３ｂ，１４ｂは、外壁面Ｗと並行するように、横方向外方へ折り曲げられている。各連結材１３，１４の中間直線部１３ｃ，１４ｃには第２，第３の棒材１２ｂ，１２ｃが接触し、連結材１３の中間直線部１３ｃのうちの第２の棒材１２ｂと交差する部分が第２の棒材１２ｂにスポット溶接され、また、連結材１４の中間直線部１４ｃのうちの第３の棒材１２ｃと交差する部分が第３の棒材１２ｃにスポット溶接されている。
【００１８】
外壁面Ｗに沿って曲げられた各連結材１３，１４の第２屈曲部１３ｂ，１４ｂは、建造物Ｂの外壁面Ｗに当接する脚部として作用する。すなわち、第２屈曲部１３ｂ，１４ｂが外壁面Ｗに沿う横方向に曲げられていることにより、外壁面Ｗに対して点接触ではなく面接触となるため、支柱１１が外壁面Ｗに安定的に密着することになる。また、第２屈曲部１３ｂ，１４ｂの幾つかは、押さえ金具とアンカーボルトなどを用いて外壁面Ｗに固定される。幾つの第２屈曲部１３ｂ，１４ｂを外壁面Ｗに固定するかは、このラック装置１０Ａの大きさや後述するボックスの重量によって決定される。このようにして建造物Ｂの外壁面Ｗに固定された複数の支柱１１間には、上下方向Ｙに所定の間隔をあけて複数の桟部材１５が渡され、各支柱１１によって支持されている。これにより、上下方向Ｙに所定の間隔をあけて配置された隣接する２つの桟部材１５と該桟部材１５を支持すべく横方向Ｘに所定の間隔をあけて配置された隣接する２つの支柱１１とで画成される多数の空間部１６が形成され、これら各空間部１６には、ボックス１７が配置されている。
【００１９】
この実施形態における各桟部材１５は、金属製の２本の棒材１５ａ，１５ｂから構成されている。そのうちの１本の棒材１５ａについてそれが支柱１１を横断する部分では、図２に示されるように支柱１１を構成する第１の棒材１２ａの後方側を通り、かつ２つの連結材１３，１４における前方へ下り傾斜している直線中間部１３ｃ，１４ｃ上に乗るように通過している。言い換えれば、棒材１５ａは、第１の棒材１２ａと連結材１３，１４の各中間直線部１３ｃ，１４ｃとが集合する箇所の上部に挟み込まれるように通過している。棒材１５ａは、前後方向への移動は完全に阻止されているが、必要ならばこれら３本の棒材との接触部を溶接して固定されている。他方、他の１本の棒材１５ｂは、棒材１５ａと同じ水平面内に位置するように、言い換えれば棒材１５ａの後方側であって外壁面Ｗと第２，第３の棒材１２ｂ，１２ｃとの間を通り、さらに、該第２，第３の棒材１２ｂ，１２ｃと接触し、これら接触部が溶接されて固定されている。このように１本の棒材１５ａは、外壁面Ｗより前方側を横方向Ｘに延び、他の１本の棒材１５ｂは、棒材１５ａより後方側を外壁面Ｗ側に近接して横方向Ｘに延びることにより水平棚を形成している。
【００２０】
支柱１１と桟部材１５とで囲まれる格子状の空間部１６に収められるボックス１７は、相対向しかつ並行な上壁１７ａ及び底壁１７ｂと、相対向する２つの側壁１７ｃと、建造物Ｋの外壁面Ｗに近接する後方側に配置された後壁１７ｄとから形成され、後壁より前方方向は大気に開放する開口部とされている。このボックス１７内には、上壁１７ａと底壁１７ｂとに並行する第１の仕切り壁１８ａと、この第１の仕切り壁１８ａに直交する第２の仕切り壁１８ｂとが後壁１７ｄから立ち上がるように形成され、これによりボックス１７内には４つの収納室１９が形成されている。これら４つの収納室１９すべての前面は、前方に開放した開口部２０を備えている。このボックス１７における各収納室１９には、人工土壌（図示せず）が配置されている。人工土壌としては、例えば、パーライトと有機物とを混合させたものなどが既に良く知られており、その他にも種々の人工培土を使用することができる。これらの人工土壌は、樹脂製の網材で覆い、さらにこれを収納室１９に入れた後にボックス１７の各収納室１９の開口部２０を比較的に目の粗いネット（図示せず）で覆うことが好ましい。
【００２１】
ボックス１７の底壁１７ｂは、空間部１６を画成する前後２本の棒材１５ａ，１５ｂで形成された桟部材（水平棚）１５に乗り、また上壁１７ａの上面は、上部の空間部１６に配置されたボックス１７の底壁１７ｂを支持する前後２本の棒材１５ａ，１５ｂで形成された桟部材（水平棚）１５が接触して該ボックス１７を押さえている。しかし、このままであるとボックス１７が、空間部１６から前方に抜け出ることも考えられるので、ボックス１７の上壁１７ａ及び底壁１７ｂを適当な留め金で水平棚を構成する各棒材１５ａ，１５ｂに連結して固定することが好ましい。また、ボックス１７は、木製で形成することができるが、建造物Ｋの外側に設置されることから風雨にさらされて朽ちると、破片が落下する危険もあるので、耐候性や耐水性に優れた樹脂材で形成されることが好ましい。
【００２２】
ボックス１７の各収容室１９に収められた人工土壌には、収容室１９の開口部２０側に面している部分に植物の種や、発芽した苗などが植えられている。なお、ボックス１７における各収容室１９内の人工土壌に定期的に水を供給するための給水手段を設けることも好ましい。この給水手段の一例を説明すると、図１に示されるように、建造物Ｂの屋上などに設置された給水源（図示せず）に接続された給水管２１を各支柱１１内に通し、各ボックス１７における上壁１７ａの内面側に配置した散水管２２に接続することにより構成することができる。各ボックス１７における上壁１７ａの内面に沿って配管された散水管２２には、多数の孔が形成されていて、これらの孔から水が流れ落ち、散水管２２の下に位置する人工土壌に給水する。ボックス１７内を上下に仕切る第１の仕切り板１８ａには多数の貫通孔が形成されていて、上段の収容室１９内で散水された水の一部、及び人工土壌から染み出た水は第１の仕切り板１８ａの各貫通孔を通って下段の収容室１９内に流れ落ち、該収容室１９内の人工土壌に給水される。ボックス１７の各収容室１９内に配置した人工土壌に給水する手段については、前述した給水手段の他に、種々の給水手段を採用することができる。
【００２３】
前述した実施形態のラック装置１０Ａでは、ボックス１７を支持する桟部材１５が２本の棒材１５ａ，１５ｂによって構成されていたが、この桟部材１５を、支柱１１と同様なトラス構造で構成することができる。図４は、本発明の他の実施形態に係る壁面緑化用ラック装置１０Ｂを示す図１と同様な正面図、図５は、壁面緑化用ラック装置１０Ｂを示す図２と同様な側面図である。図４及び図５では、壁面緑化用ラック装置１０Ｂを構成しているトラス構造の桟部材が符号２５で示されている。この桟部材２５は、これを端部側から見たとき、仮想の三角形の各頂点に端面が位置するように配置された並行な３本の棒材２６ａ，２６ｂ，２６ｃと、これら棒材のうち１本の棒材２６ａに他の２本の棒材２６ｂ，２６ｃを連結する連結材２７，２８とから構成されている。このトラス構造の桟部材２５は、支柱１１を構成している第１の棒材１２ａと第２，第３の棒材１２ｂ，１２ｃとの間を通って支柱１１を横断する横方向に延びている。これら各棒材２６ａ，２６ｂ，２６ｃと連結材２７，２８は、支柱１１と同様に鉄筋で形成されている。
【００２４】
具体的には、トラス構造の桟部材２５は、これを構成する３本の棒材２６ａ，２６ｂ，２６ｃのうち２本の棒材２６ｂ，２６ｃが外壁面Ｗに沿って上下方向に並ぶように配置され、他の１本の棒材２６ａが、棒材２６ｂ，２６ｃよりも前方に位置するように配置されている。また、連結材２７は、棒材２６ａと棒材２６ｂとの間に位置し、また、連結材２８は、棒材２６ａと棒材２６ｃとの間に位置し、これら各連結材２７，２８は、それぞれ２本の棒材の間でジグザグ状に屈曲を繰り返して棒材２６ａ，２６ｂ，２６ｃの長手方向、即ち横方向Ｘへ延びている。従って、各連結材２７，２８は、それぞれ第１屈曲部２７ａ，２８ａと、第２屈曲部２７ｂ，２８ｂとを形成している。このような２本の連結材２７，２８は、棒材２６ａを挟んでその両側部に対称に配置され、かつ図４に示されるように第１屈曲部２７ａ，２８ａから第２屈曲部２７ｂ，２８ｂに向かって横方向へ末広がりを呈するように建造物Ｂの外壁面Ｗに対して所定角度で傾斜している。各連結材２７，２８の第１屈曲部２７ａ，２８ａは、棒材２６ａの横方向両側に当接した状態で、該棒材２６ａにスポット溶接されている。また、連結材２７の第２屈曲部２７ｂは、棒材２６ｂの横方向両側に当接した状態で、該棒材２６ｂにスポット溶接され、連結材２８の第２屈曲部２８ｂは、棒材２６ｃの横方向両側に当接した状態で、該棒材２６ｃにスポット溶接されている。従って、トラス構造の桟部材２５は、トラス構造の支柱１１のような脚部は存在していない。
【００２５】
前述した実施形態のようにトラス構造の桟部材２５を用いると、上下に間隔をあけて配置された２つの桟部材２５とこれら桟部材を支持すべく横方向に所定の間隔をあけて配置された２つの支柱１１とで囲まれる空間部１６には、図１〜図３に示された実施形態のラック装置１０Ａと同様な前方開放のボックス１７が収められる。空間部１６に配置されたボックス１７は、その周囲壁面と、該周囲壁面に接触する支柱１１及び桟部材２５の構成部材とを公知の留め具（図示せず）で連結することにより堅固に固定される。
【００２６】
図４及び図５に示される実施形態のラック装置１０Ｂでは、上下に間隔をあけて配置された２つの桟部材２５とこれら桟部材を支持すべく横方向に所定の間隔をあけて配置された２つの支柱１１とで囲まれる空間部１６は、壁面側よりその対向側開放部の方が大きい切頭四角錐状を呈する。そのため、この空間部１６に配置される前方開放のボックスは、切頭四角錐状の空間部１６に緊密に嵌合する形状で形成することができる。このような形状のボックスを空間部１６に嵌め込む場合でも、ボックスの周囲壁と、これに接触する支柱１１や桟部材２５の構成部材とを公知の留め具（図示せず）を用いて結合しておくことが好ましい。
【００２７】
なお、上述した２つの実施形態に係る壁面緑化用ラック装置１０Ａ，１０Ｂにおいて、支柱１１を構成する第１，第２，第３の各棒材１２ａ，１２ｂ，１２ｃ、桟部材１５を構成する２本の棒材１５ａ，１５ｂ、及び桟部材２５を構成する棒材２６ａ，２６ｂ，２６ｃと連結材２７，２８それぞれの太さは特に限定されるものではなく、該ラック装置の大きさに基づいた必要な強度を維持し得るように設定される。また、これらの棒材、連結材、線材に用いられる金属は鉄が好ましいが、鉄以外の金属を使用することもできる。鉄を用いる場合はメッキ等の防食処理を施すことも好ましい。さらに、連結材１３、１４や連結線材２７，２８において、単位長さ（ｍ）当たりの屈曲を繰り返す回数や、これらを配置する際の建造物Ｂの外壁面Ｗに対する傾斜角度についても特に限定はなく自由に設定することができる。
【００２８】
また、前述した上述した２つの実施形態に係る壁面緑化用ラック装置１０Ａ，１０Ｂにおいて、支柱１１を構成する第１，第２，第３の各棒材１２ａ，１２ｂ，１２ｃ、桟部材１５を構成する２本の棒材１５ａ，１５ｂ、及び、桟部材２５を構成する棒材２６ａ，２６ｂ，２６ｃと連結材２７，２８は、中実の金属棒或いは中空の鉄棒を用いることができる。特に、中空の金属棒の使用は、軽量化を図れることから特に好ましい。
【００２９】
さらに、上述した２つの実施形態に係る壁面緑化用ラック装置１０Ａ，１０Ｂでは、建造物Ｂの外壁面Ｗに沿って設置し、該外壁面Ｗを植栽化するものであったが、本発明は、建造物の外壁面に限定されるものではなく、建造物の内壁面、擁壁の壁面、又は橋脚の壁面などを植栽化する場合に利用することができる。
【００３０】
以上説明したように、上述した実施形態における壁面緑化用ラック装置１０Ａ，１０Ｂに用いる支柱１１によれば、該支柱１１が、３本の棒材１２ａ〜１２ｃと、これら棒材をトラス構造に形成する連結材１３，１４とから構成され、しかもこの支柱１１を建造物Ｂの外壁面Ｗに沿って立てたときに支柱１１が外壁面Ｗに安定的に密着するように連結材１３，１４に脚部を形成し、必要に応じてその幾つかを外壁面Ｗに固定するようにしたことから、堅固に外壁面に取り付けることができ、その結果、耐震強度が非常に高く、かつ安全性の高い壁面緑化用の支柱を提供することができる。
【００３１】
また、上述した実施形態における壁面緑化用ラック装置によれば、これに使用する支柱１１は、前述したようにトラス構造のものであることから、非常に強度が高く、人工土壌を収納するボックスが相当な重量になってもこれを堅固に、かつ安全に支持することができる。さらに、このような支柱１１は、建造物の床（スラブ）を形成する際に使用するトラス構造の鉄筋ユニットをそのまま用いることができることから、この支柱１１や桟部材２５を製作するのに特別な機械や装置を開発する必要もなく、従って、安価に入手することができるので、壁面緑化用ラック装置の製造に際して高い経済性を得ることができる。
【図面の簡単な説明】
【００３２】
【図１】本発明の一実施形態に係る壁面緑化用ラック装置を部分的に示す正面図。
【図２】図１に示される壁面緑化用ラック装置を２−２線の方向から見た側面図。
【図３】図１に示される壁面緑化用ラック装置の上面図。
【図４】本発明の他の実施形態に係る壁面緑化用ラック装置を部分的に示す図１と同様な正面図。
【図５】図４に示される壁面緑化用ラック装置の側面図。
【符号の説明】
【００３３】
Ｂ    建造物
Ｗ    建造物の外壁面
１０Ａ，１０Ｂ    壁面緑化用ラック装置
１１    支柱
１２ａ    第１の棒材
１２ｂ    第２の棒材
１２ｃ    第３の棒材
１３，１４    連結材
１３ａ，１４ａ    第１屈曲部
１３ｂ，１４ｂ    第２屈曲部
１３ｃ，１４ｃ    中間直線部
１５，２５    桟部材
１５ａ，１５ｂ    棒材
１６    空間部
１７    ボックス
１７ａ    上壁
１７ｂ    底壁
１７ｃ    側壁
１８ａ，１８ｂ    仕切り壁
１９    収納室
２０    開口部
【図１】
2009278924.tif 000003
【図２】
2009278924.tif 000004
【図３】
2009278924.tif 000005
【図４】
2009278924.tif 000006
【図５】
2009278924.tif 000007